(57)【特許請求の範囲】
【請求項１】
所定の時間を計時する計時手段と、
前記計時手段によって所定の時間が経過する毎に、第１情報を受信する受信手段と、
他の情報処理装置と通信をして、前記第１情報と代替可能な情報である第２情報を受信する通信手段と、
前記通信手段によって前記第２情報が受信された際に、この受信した第２情報と、前記受信手段によって直近に受信された前記第１情報とを比較してどちらの情報が最新の情報であるかを判断する判断手段と、
前記受信手段により前記第１情報が受信される毎、又は前記通信手段によって前記第２情報が受信された際に、前記受信手段によって直近に受信された第１情報より当該第２情報の方が最新であると前記判断手段が判断した場合は、前記計時手段をリセットする変更手段と、
を備える情報処理装置。
【請求項２】
前記通信手段は、前記第２情報以外の別情報と前記第２情報とを含む送信情報を受信し、
前記情報処理装置は、前記通信手段により受信された前記送信情報から、前記第２情報と前記別情報とを分離する分離手段をさらに備える、
ことを特徴とする請求項１に記載の情報処理装置。
【請求項３】
前記別情報は、前記他の情報処理装置においてメール又は電話の着信があったことを、前記情報処理装置に示す情報である、
ことを特徴とする請求項２に記載の情報処理装置。
【請求項４】
前記第１情報及び第２情報は、位置情報であり、
前記第１情報及び第２情報のうち、最新の位置情報を当該情報処理装置の現在地とみなす、
ことを特徴とする請求項１乃至３の何れか一項に記載の情報処理装置。
【請求項５】
所定の時間を計時する計時手段を備えた情報処理装置が実行する情報処理方法であって、
前記計時手段によって所定の時間が経過する毎に、第１情報を受信する受信ステップと、
他の情報処理装置と通信をして、前記第１情報と代替可能な情報である第２情報を受信する通信ステップと、
前記通信ステップによって前記第２情報が受信された際に、この受信した第２情報と、前記受信ステップによって直近に受信された前記第１情報とを比較してどちらの情報が最新の情報であるかを判断する判断ステップと、
前記受信ステップにより前記第１情報が受信される毎、又は前記通信ステップによって前記第２情報が受信された際に、前記受信ステップによって直近に受信された第１情報より当該第２情報の方が最新であると前記判断ステップが判断した場合は、前記計時手段をリセットする変更ステップと、
を含む情報処理方法。
【請求項６】
所定の時間を計時する計時手段を備えた情報処理装置を制御するコンピュータを、
前記計時手段によって所定の時間が経過する毎に、第１情報を受信する受信手段、
他の情報処理装置と通信をすることにより前記第１情報と代替可能な情報である第２情報を受信する通信手段、
前記通信手段によって前記第２情報が受信された際に、この受信した第２情報と、前記受信手段によって直近に受信された前記第１情報とを比較してどちらの情報が最新の情報であるかを判断する判断手段、
前記受信手段により前記第１情報が受信される毎、又は前記通信手段によって前記第２情報が受信された際に、前記受信手段によって直近に受信された第１情報より当該第２情報の方が最新であると前記判断手段が判断した場合は、前記計時手段をリセットする変更手段、
として機能させるプログラム。
【請求項７】
第１情報処理装置と第２情報処理装置からなる情報処理システムであって、
前記第１情報処理装置は、
第１情報を受信する第１受信手段と、
前記第２情報処理装置に対する送信対象となる第２情報を取得する取得手段と、
前記取得手段において前記第２情報が取得され、かつ、前記第１受信手段において前記第１情報が受信されたことを条件として、前記第１情報と前記第２情報とを含む送信情報を送信する第１通信手段と、
を備え、
前記第２情報処理装置は、
所定の時間を計時する計時手段と、
前記計時手段によって所定の時間が経過する毎に、第３情報を受信する第２受信手段と、
前記第１情報処理装置と通信をして、前記第３情報と代替可能な情報である前記第１情報を含む前記送信情報を受信する第２通信手段と、
前記第２通信手段によって前記第１情報が受信された際に、この受信した第１情報と、前記第２受信手段によって直近に受信された前記第３情報とを比較してどちらの情報が最新の情報であるかを判断する判断手段と、
前記第２受信手段により前記第３情報が受信される毎、又は前記第２通信手段によって前記第１情報が受信された際に、当該第２受信手段によって直近に受信された第３情報より当該第１情報の方が最新であると前記判断手段が判断した場合は、前記計時手段をリセットする変更手段と、
を備えた情報処理システム。
【発明の詳細な説明】
【技術分野】
【０００１】
本発明は、情報処理装置、情報処理方法、プログラム及び情報処理システムに関する。
【背景技術】
【０００２】
近年、単に時刻を表示するだけでなく、通信機能を含め様々な機能を有する腕時計型の小型端末（以下、「リスト端末」と呼ぶ）の需要が高まりつつある。
このようなリスト端末は、携帯電話機やスマートフォン（ｓｍａｒｔｐｈｏｎｅ）等の携帯型の端末（以下、「携帯端末」という）と相互に無線接続することにより、携帯端末側で受信されたメールの転送を受けることができる。
さらに、リスト端末は、携帯端末とは独立した無線通信をして、天気等の様々な情報を受信して表示することができる。
また、リスト端末の中には、ＧＰＳ（Ｇｌｏｂａｌ  Ｐｏｓｉｔｉｏｎｉｎｇ  Ｓｙｓｔｅｍ）機能を搭載し、ＧＰＳ衛星から位置情報を取得するものも近年存在する（例えば、特許文献１参照）。
【先行技術文献】
【特許文献】
【０００３】
【特許文献１】特開２０１３−６１１７６号公報
【発明の概要】
【発明が解決しようとする課題】
【０００４】
しかしながら、リスト端末は、ユーザの手首に装着されるという点で、小型のサイズになるため、電池容量が少ない。したがって、リスト端末にとって、位置情報等の所定の情報の取得が必要であるからといって、ＧＰＳ機能のように消費電力が高い機能を搭載させることは、電池残量の低下時間や、電池寿命に多大な影響を及ぼすことになる。このため、位置情報等の所定の情報の取得ができると共に、電池残量の低下時間の長期化や、その寿命の長寿命化が要求されていた。
【０００５】
本発明は、このような状況に鑑みてなされたものであり、端末の消費電力の低減を図ると共に、所定の情報を取得することを目的とする。
【課題を解決するための手段】
【０００６】
上記目的を達成するため、本発明の一態様の情報処理装置は、
所定の時間を計時する計時手段と、
前記計時手段によって所定の時間が経過する毎に、第１情報を受信する受信手段と、
他の情報処理装置と通信をして、前記第１情報と代替可能な情報である第２情報を受信する通信手段と、
前記通信手段によって前記第２情報が受信された際に、この受信した第２情報と、前記受信手段によって直近に受信された前記第１情報とを比較してどちらの情報が最新の情報であるかを判断する判断手段と、
前記受信手段により前記第１情報が受信される毎、又は前記通信手段によって前記第２情報が受信された際に、前記受信手段によって直近に受信された第１情報より当該第２情報の方が最新であると前記判断手段が判断した場合は、前記計時手段をリセットする変更手段と、
を備える。
【発明の効果】
【０００７】
本発明によれば、端末の消費電力の低減を図ると共に、所定の情報を取得することが可能になる。
【図面の簡単な説明】
【０００８】
【図１】、本発明の一実施形態に係る情報処理システムの構成の概略を示す模式図である。
【図２】図１の情報処理システムのうち、本発明の実施の形態の情報処理装置としてのリスト端末の内部構成を示すブロック図である。
【図３】図１の情報処理システムのうち、携帯端末の内部構成を示すブロック図である。
【図４】図１の情報処理システムの機能的構成のうち、位置情報取得処理を実行するためのリスト端末及び携帯端末の各機能的構成を示す機能ブロック図である。
【図５】図４の機能構成を有する情報処理システムが実行する位置情報取得処理の流れの一例を示すフローチャートである。
【発明を実施するための形態】
【０００９】
以下、本発明の実施形態について、図面を用いて説明する。
【００１０】
図１は、本発明の一実施形態に係る情報処理システムの構成の概略を示す模式図である。
情報処理システムは、本発明の情報処理装置の一実施形態に係るリスト端末１００と、本発明の情報処理装置にとって他の情報処理装置に該当する携帯端末３００とを備えている。
リスト端末１００と携帯端末３００とは、Ｂｌｕｅｔｏｏｔｈ（登録商標）等の近距離無線通信（以下、Ｂｌｕｅｔｏｏｔｈによる通信を「Ｂｌｕｅｔｏｏｔｈ通信」と呼ぶ）をすることで、各種情報を相互に送受信することができる。
また、リスト端末１００と携帯端末３００との夫々は、ＧＰＳによる位置取得機能を有している。
また、携帯端末３００は、メール受信や電話の着信をし、その旨をリスト端末１００に通知するものとし、リスト端末１００は、その通知をうけると、メール受信や電話の着信があったことを、画像表示したりバイブレータで振動することにより、ユーザに通知するものとする。
【００１１】
図２は、図１の情報処理システムのうち、本発明の情報処理装置の一実施形態としてのリスト端末１００の内部構成を示すブロック図である。
【００１２】
図２に示すように、リスト端末１００は、制御回路１１と、アンテナ１２と、Ｂｌｕｅｔｏｏｔｈモジュール１３と、ＵＡＲＴ１４と、入力手段１５と、ＬＣＤ（Ｌｉｑｕｉｄ  Ｃｒｙｓｔａｌ  Ｄｉｓｐｌａｙ）１６と、時計回路１７と、ＲＯＭ（Ｒｅａｄ  Ｏｎｌｙ  Ｍｅｍｏｒｙ）１８と、ＲＡＭ（Ｒｅａｄ  Ａｃｃｅｓｓ  Ｍｅｍｏｒｙ）１９と、ＬＥＤ（Ｌｉｇｈｔ  Ｅｍｉｔｔｉｎｇ  Ｄｉｏｄｅ）２０と、ピエゾ２１と、振動モータ２２と、ＧＰＳアンテナ２３と、ＧＰＳモジュール２４と、ＵＡＲＴ２５とを備えている。
【００１３】
制御回路１１は、リスト端末１００全体の動作を制御する。
Ｂｌｕｅｔｏｏｔｈモジュール１３は、携帯端末３００との間で、アンテナ１２を介してＢｌｕｅｔｏｏｔｈ通信等の近距離無線通信を行う。
ＵＡＲＴ１４は、Ｂｌｕｅｔｏｏｔｈモジュール１３に受信されたデータを、シリアル／パラレル変換した後、制御回路１１に提供すると共に、制御回路１１から提供されたデータを、パラレル／シリアル変換した後に送信対象としてＢｌｕｅｔｏｏｔｈモジュール１３に供給する。
入力手段１５は、制御回路１１に対して所定の情報の入力を行うための複数の機能を備えた複数個のボタン（ここでいうボタンには、ハードウェアのみならずソフトウェアのものも含む）等により構成されている。
ＬＣＤ１６は、時刻表示や様々な機能の表示を行う。
計時回路１７は、計時動作を行い、現在時刻を出力する。
ＲＯＭ１８は、制御回路１１で実行される制御プログラム等を格納する。
ＲＡＭ１９は、作業用のメモリ空間を供給する。
ＬＥＤ２０は、携帯端末３００からのメールや電話の着信があった旨を、発光によりユーザに報知する。
ピエゾ２１は、携帯端末３００からのメールや電話の着信があった旨を、ブザー音によりユーザに報知する。
振動モータ２２は、携帯端末３００からのメールや電話の着信があった旨を、振動によりユーザに報知する。
ＧＰＳモジュール２４は、ＧＰＳアンテナ２３を介して、ＧＰＳ情報を取得する。
ＵＡＲＴ２５は、ＧＰＳモジュール２４に受信されたＧＰＳ情報を、シリアル／パラレル変換した後、制御回路１１に提供する。
【００１４】
なお、以下、アンテナ１２、Ｂｌｕｅｔｏｏｔｈモジュール１３及びＵＡＲＴ１４をあわせて、「通信部２６」と呼ぶ。
また、ＧＰＳアンテナ２３、ＧＰＳモジュール２４及びＵＡＲＴ２５を合わせて、以下「ＧＰＳ部２７」と呼ぶ。ＧＰＳ部２７は、ＧＰＳアンテナ２３を介して取得したＧＰＳ情報に基づいて、リスト端末１００（自機）の現在位置を示すデータ、具体的には、緯度、経度、及び高度の各データ（これらのデータをまとめて、以下、「位置情報」と呼ぶ）を算出する。
【００１５】
図３は、図１の情報処理システムのうち、本発明の情報処理装置にとっての他の情報処理装置の一実施形態としての携帯端末３００の内部構成を示すブロック図である。
【００１６】
図３に示すように、携帯端末３００は、制御回路３１と、アンテナ３２と、Ｂｌｕｅｔｏｏｔｈモジュール３３と、ＵＡＲＴ３４と、操作部３５と、アンテナ３６と、無線通信部３７と、信号処理部３８と、マイクロフォン３９と、スピーカ４０と、ＬＣＤ４１と、ＲＯＭ４２と、ＲＡＭ４３と、ＬＥＤ４４と、ピエゾ４５と、振動モータ４６と、電池４７と、ＧＰＳアンテナ４８と、ＧＰＳモジュール４９と、ＵＡＲＴ５０とを備えている。
【００１７】
制御回路３１は、携帯端末３００全体の動作を制御する。
Ｂｌｕｅｔｏｏｔｈモジュール３３は、リスト端末１００との間で、アンテナ３２を介してＢｌｕｅｔｏｏｔｈ通信等の近距離無線通信を行う。
ＵＡＲＴ３４は、Ｂｌｕｅｔｏｏｔｈモジュール３３に受信されたデータを、シリアル／パラレル変換した後、制御回路３１に提供すると共に、制御回路３１から提供されたデータを、パラレル／シリアル変換した後に送信対象としてＢｌｕｅｔｏｏｔｈモジュール３３に供給する。
操作部３５は、制御回路３１に対して所定の情報の入力を行うための複数の機能を備えた複数個のボタン（ここでいうボタンには、ハードウェアのみならずソフトウェアのものも含む）等により構成されている。
無線通信部３７は、アンテナ３６を介して例えば基地局（図示せず）と無線通信することで、各種データを送受信する。
信号処理部３８は、無線通信部３７で受信された信号を復調して、制御回路３１に供給したり、制御回路３１から供給された信号を変調して、送信対象として無線通信部３７に供給する。信号処理部３８は、マイクロフォン３９やスピーカ４０等から入力された音声の信号に対して各種信号処理を施して、制御回路３１等に供給する。
ＬＣＤ４１は、時刻表示や様々な機能の表示を行う。
ＲＯＭ４２は、制御回路３１で実行される制御プログラム等を格納する。
ＲＡＭ４３は、作業用のメモリ空間を供給する。
ＬＥＤ４４は、メールや電話の着信があった旨を、発光によりユーザに報知する。
ピエゾ４５は、メールや電話の着信があった旨を、ブザー音によりユーザに報知する。
振動モータ４６は、メールや電話の着信があった旨を、振動によりユーザに報知する。
電池４７は、制御回路３１に電力を供給する。
ＧＰＳモジュール４９は、ＧＰＳアンテナ４８を介して、ＧＰＳ情報を取得する。
ＵＡＲＴ５０は、ＧＰＳモジュール４９に受信されたＧＰＳ情報を、シリアル／パラレル変換した後、制御回路３１に提供する。
【００１８】
なお、以下、ＧＰＳアンテナ４８、ＧＰＳモジュール４９及びＵＡＲＴ５０をあわせて、「ＧＰＳ部５１」と呼ぶ。ＧＰＳ部５１は、ＧＰＳアンテナ４８を介して取得したＧＰＳ情報に基づいて、携帯端末３００（自機）の現在位置を示すデータ、具体的には、緯度、経度、及び高度の各データ、即ち位置情報を算出する。
また、アンテナ３２、Ｂｌｕｅｔｏｏｔｈモジュール３３及びＵＡＲＴ３４をあわせて、以下「通信部５２」と呼ぶ。
【００１９】
また、アンテナ３６、無線通信部３７及び信号処理部３８を合わせて、以下「通信部５３」と呼ぶ。通信部５３は、携帯端末３００に対して送信されてきたメールや電話の着信の処理を実行する。
【００２０】
図４は、図１の情報処理システムの機能的構成のうち、位置情報取得処理を実行するための図２のリスト端末１００及び図３の携帯端末の各機能的構成を示す機能ブロック図である。
ここで、位置情報取得処理は、リスト端末１００側の位置情報取得処理と、携帯端末３００側の位置情報取得処理とに大別される。
リスト端末１００側の位置情報取得処理とは、所定の時間が経過するまで計時をし続け、所定の時間が経過すると、位置情報として、自機で受信されたＧＰＳ情報を取得することを原則として繰り返し実行し、当該所定の時間が経過する前に、携帯端末３００からの送信情報（携帯端末３００側で受信されたＧＰＳ情報含む）が受信された場合には、位置情報として、携帯端末３００側で受信されたＧＰＳ情報を取得するとともに、計時時間をリセットする、といった一連の処理をいう。
携帯端末３００側の位置情報取得処理とは、リスト端末１００との間のＢｌｕｅｔｏｏｔｈ通信が確立してから、メールが受信された場合又は着信があった場合にその旨を示す情報（以下、「着信情報」と呼ぶ）を生成し、当該着信情報に対して、自機で受信されたＧＰＳ情報を付加した送信情報を生成して送信するまでの一連の処理をいう。
【００２１】
リスト端末１００側の位置情報取得処理が実行される場合には、制御回路１１においては、計時部７１と、通信制御部７２と、情報分離部７３と、リセット部７４と、スイッチ部７５と、位置取得部７６と、着信報知制御部７７とが機能する。
また、携帯端末３００側の位置情報取得処理が実行される場合には、制御回路３１において、通信制御部８１と、着信部８２と、位置取得部８３と、送信情報生成部８４とが機能する。
【００２２】
先ず、リスト端末１００の機能的構成について説明する。
計時部７１は、後述のリセット部７４によりリセットが行われることを契機として計時を開始し、時計回路１７の出力に基づいて所定の時間を計時する。
そして、計時部７１は、所定の時間が経過したか否かの判定結果に応じて、スイッチ部７５の入力端の切り換えを行う。具体的には、計時部７１は、所定の時間が経過していないと判定した場合には、スイッチ部７５の入力端を自機のＧＰＳ部２７側に切り換え、所定の時間が経過したと判定した場合には、スイッチ部７５の入力端を後述の情報分離部７３側に切り換える。
【００２３】
ここで、通信部２６は、携帯端末３００と通信をして、携帯端末３００において所定条件が満たされたことにより送信されてきた送信情報を受信する。
所定の条件は、ユーザ等が任意に設定することができるが、本実施形態では、携帯端末３００において、位置情報以外の別情報が生成され、かつ、位置情報が生成された（携帯端末３００側でＧＰＳ情報が受信された）という条件が採用されている。
位置情報以外の別情報とは、携帯端末３００の送信対象になる情報であれば足り、ユーザ等が任意に設定することができるが、本実施形態では、着信情報が採用されている。
本実施形態では、後述するように、この着信情報に対して、携帯端末３００側で受信された位置情報が付加されている情報が、送信情報として携帯端末３００から送信されて通信部２６において受信される。
【００２４】
情報分離部７３は、通信部２６に受信された送信情報から、位置情報と別情報（着信情報）とを分離する。情報分離部７３は、分離した位置情報を、スイッチ部７５を介して位置取得部７６へ供給すると共に、分離した着信情報を着信報知制御部７７へ供給する。
【００２５】
リセット部７４は、情報分離部７３により送信情報から（携帯端末３００側で受信されたＧＰＳ情報に基づく）位置情報が分離されるか、又は、自機のＧＰＳ部２７に受信されたＧＰＳ情報に基づく位置情報が取得される毎に、計時部７１の計時動作をリセットする。
この場合、計時部７１の計時時間は０に戻るので、スイッチ部７５の入力端は情報分離部７３側に切り換えられる。
従って、その後、計時部７１により所定の時間が計時される前のタイミングで、携帯端末３００からの送信情報が通信部２６に受信されて、情報分離部７３から、（携帯端末３００側で受信されたＧＰＳ情報に基づく）位置情報が分離されると、当該位置情報は、スイッチ部７５を介して位置取得部７６に供給される。
一方、その後、計時部７１により所定の時間が計時されると、スイッチ部７５の入力端は自機のＧＰＳ部２７側に切り替わり、自機のＧＰＳ部２７に受信されたＧＰＳ情報に基づく位置情報が、スイッチ部７５を介して位置取得部７６に供給される。
【００２６】
このようにして、所定の時間が経過するまでの間は、スイッチ部７５の入力端は、情報分離部７３側に切り替えられており、所定の時間が経過すると、スイッチ部７５の入力端に切り替えられる。ただし、携帯端末３００側で受信されたＧＰＳ情報に基づく位置情報を含む送信情報が、通信部２６に受信されると、計時時間が０にリセットされて、スイッチ部７５の入力端は、情報分離部７３側で維持される。
従って、位置取得部７６は、計時部７１により所定の時間が計時される毎にＧＰＳ部２７に受信されたＧＰＳ情報に基づく位置情報を原則として取得するが、所定の時間の計時前に、携帯端末３００側で受信されたＧＰＳ情報に基づく位置情報を含む送信情報が通信部２６に受信されると、携帯端末３００側で受信されたＧＰＳ情報に基づく位置情報を取得する。
これにより、リスト端末１００は、自機のＧＰＳ部２７に基づき位置情報を算出する頻度を低減することができ、結果として、ＧＰＳ部２７の位置情報の算出に伴う消費電力の低減を図り、電池残量の短時間での低下防止や、電池寿命の長寿命化を実現することができる。
【００２７】
着信報知制御部７７は、情報分離部７３により送信情報から分離された着信情報が供給されると、メールが受信されたか、又は着信された旨をユーザに報知する。ユーザへの報知手法は、特に限定されないが、本実施形態では、メールを受信したことや、電話を着信した旨を、ＬＣＤ１６にメッセージや光として表示することで、ユーザに報知したり、その旨を振動モータ２２を振動することで、ユーザに報知する、といった手法が採用されている。
【００２８】
次に、携帯端末３００側の位置情報取得処理が実行される場合の機能的構成について説明する。
【００２９】
通信制御部８１は、通信部５２を介してリスト端末１００と接続して、各種情報を授受するための制御の実行や、通信部５３を介して基地局（図示せず）と接続して、メールや電話の着信を行うための制御を実行する。
【００３０】
着信部８２は、通信制御部８１の制御により、メールの受信又は電話の着信を行い、その旨を示す着信情報を生成して、送信情報生成部８４に供給する。
【００３１】
位置取得部８３は、ＧＰＳ部５１からの位置情報を取得して、送信情報生成部８４へ供給する。
【００３２】
送信情報生成部８４は、着信部８２からの着信情報と、位置取得部８３からの位置情報とを含む送信情報を生成する。生成された送信情報は、通信制御部８１の制御により、リスト端末１００に送信される。
【００３３】
次に、かかる機能的構成を有する情報処理システムが実行する位置情報取得処理について、具体的には、リスト端末１００側の位置情報取得処理及び携帯端末３００側の位置情報取得処理について説明する。
図６は、図４の機能構成を有する情報処理システムが実行する位置情報取得処理の流れの一例を示すフローチャートである。
リスト端末１００側の位置情報取得処理及び携帯端末３００側の位置情報取得処理はそれぞれ並行して独立に実行される。
先ず、リスト端末１００側の位置情報取得処理について説明する。
リスト端末１００の電源が投入されて所定の条件が満たされると、リスト端末１００側の位置情報取得処理が開始されて、次のようなステップＳ１以降の処理が実行される。
【００３４】
ステップＳ１において、位置取得部７６は、ＧＰＳ部２７が取得した自機のＧＰＳ情報に基づく位置情報を取得する。
ステップＳ２において、計時部７１は、所定の時間が経過したか否かを判定する。所定の時間が経過した場合には、ステップＳ２においてＹＥＳであると判定されると、リセット部７４によって計時時間はリセットされ、処理はステップＳ１に戻される。即ち、所定の時間が経過する毎に、ステップＳ１の処理が繰り返し実行され、自機のＧＰＳ情報に基づく位置情報が取得される。
ここで、所定の時間は、特に限定されず、ユーザ等が任意に設定することができる。
所定の時間が経過していない場合には、ステップＳ２においてＮＯであると判定されて、処理はステップＳ３に進む。
【００３５】
ステップＳ３において、通信制御部７２は、携帯端末３００から送信情報を受信したか否かを判定する。
携帯端末３００からの送信情報は、後述の携帯端末３００側の位置情報取得処理のステップＳ２５において、携帯端末３００から送信される。
携帯端末３００からの送信情報が受信されていない場合には、ステップＳ３においてＮＯであると判定されて、処理はステップＳ２に戻される。即ち、携帯端末３００から送信情報が受信されずに、所定の時間が経過した場合には、自機のＧＰＳ情報に基づく位置情報が取得される。
これに対して、所定の時間が経過する前に、携帯端末３００からの送信情報が受信された場合には、ステップＳ３においてＹＥＳであると判定されて、処理はステップＳ４に進む。
【００３６】
ステップＳ４において、情報分離部７３は、送信情報から、着信情報と、位置情報とを分離する。
ステップＳ５において、着信報知制御部７７は、着信情報を報知する。具体的には例えば、着信報知制御部７７は、ＬＣＤ１６にメッセージや光として表示させたり、振動モータ２２を振動させたりすることで、メールを受信したことや電話が着信した旨をユーザに報知する。
【００３７】
ステップＳ６において、位置取得部７６は、送信情報に含まれた位置情報を取得する。
ステップＳ７において、リセット部７４は、計時時間をリセットする。
このようにして、携帯端末３００から送信情報が送信されてきた場合は、携帯端末３００側で受信されたＧＰＳ情報に基づく位置情報が取得されて、かつ計時時間がリセットされる。即ち、所定の時間が計時される前に送信情報が携帯端末３００から送信されてくる限り、リスト端末１００側の自ＧＰＳ部２７の機能を発揮させる必要は無くなるので、結果として、ＧＰＳ部２７の位置情報の算出に伴う消費電力の低減を図り、電池残量の短時間での低下防止や、電池寿命の長寿命化を実現することができる。
【００３８】
ステップＳ８において、制御回路１１は、処理の終了が指示されたか否かを判定する。処理の終了が指示されていない場合には、ステップＳ８においてＮＯであると判定されて、処理はステップＳ２に戻され、それ以降の処理が繰り返される。これに対して、処理の終了が指示なされた場合には、ステップＳ８においてＹＥＳであると判定されて、リスト端末１００側の位置情報取得処理全体が終了となる。
【００３９】
次に、携帯端末３００側の位置情報取得処理について説明する。
携帯端末３００の電源が投入されて所定の条件が満たされると、携帯端末３００が実行する、携帯端末３００側の位置情報取得処理が開始されて、次のようなステップＳ２１以降の処理が実行される。
【００４０】
ステップＳ２１において、通信制御部８１は、リスト端末１００と間でＢｌｕｅｔｏｏｔｈ通信が確立したか否かを判定する。
Ｂｌｕｅｔｏｏｔｈ通信が確立していない場合には、ステップＳ２１においてＮＯであると判定されて、処理はステップＳ２１に戻される。即ち、Ｂｌｕｅｔｏｏｔｈ通信が確立するまでの間、ステップＳ２１の処理が繰り返し実行されて、携帯端末３００側の位置情報取得処理が待機状態になる。
Ｂｌｕｅｔｏｏｔｈ通信が確立すると、ステップＳ２１の処理においてＹＥＳであると判定されて、処理はステップＳ２２に進む。
【００４１】
ステップＳ２２において、着信部８２は、着信をリスト端末１００に報知するか否かを判定する。
具体的には、着信部８２は、通信部５３を介してメールの受信又は電話の着信があったか否かを判定する。
着信部８２は、メールの受信又は電話の着信が無い場合には、着信をリスト端末１００に報知する必要は無いと判定して、即ちステップＳ２６においてＮＯであると判定して、処理をステップＳ２６に進める。ただし、ステップＳ２６以降の処理については後述する。
これに対して、着信部８２は、メールの受信又は電話の着信があった場合には、着信をリスト端末１００に報知すると判定して、即ちステップＳ２４においてＹＥＳであると判定して、処理をステップＳ２３に進める。
【００４２】
ステップＳ２３において、位置取得部８３は、自機のＧＰＳ情報に基づく位置情報を取得しているか否かを判定する。
ここで、位置情報取得部８３は所定の時間が経過する毎に、位置情報を取得してもよいし、Ｓ２１において通信が確立した場合に位置情報を取得するようにしてもよいし、メールや電話の着信があった場合に位置情報を取得するようにしてもよいし、何れのタイミングで位置情報を取得してもかまわない。
自機のＧＰＳ情報に基づく位置情報が取得されていない場合、ステップＳ２３においてＮＯであると判定されて、処理はステップＳ２６に進む。ただし、ステップＳ２６以降の処理については、後述する。
これに対して、自機のＧＰＳ情報に基づく位置情報が取得された場合には、ステップＳ２３においてＹＥＳであると判定されて、処理はステップＳ２４に進む。
【００４３】
ステップＳ２４において、送信情報生成部８４は、着信情報と、位置情報とを含む送信情報を生成する。
ステップＳ２５において、通信制御部８１は、ステップＳ２４の処理で生成された送信情報をリスト端末１００に送信する。
【００４４】
ステップＳ２６において、制御回路３１は、処理の終了が指示されたか否かを判定する。処理の終了が指示されていない場合には、ステップＳ２６においてＮＯであると判定されて、処理はステップＳ２２に戻され、それ以降の処理が繰り返される。これに対して、処理の終了が指示なされた場合には、ステップＳ２６においてＹＥＳであると判定されて、携帯端末３００側の位置情報取得処理全体が終了となる。
【００４５】
以上説明したように、本発明が適用される情報処理装置としてのリスト端末１００は、上述の実施形態を含め、次のような構成を有する、各種各様の実施形態を取ることができる。換言すると、本発明は、上述の実施形態に限定されるものではなく、本発明の目的を達成できる範囲での変形、改良等は本発明に含まれるものである。
即ち、上述の実施形態では、位置情報に着目されたが、特に位置情報に限定されず、他の情報処理装置（ここでは携帯端末３００）で受信され得る情報と代替可能な情報であれば足りる。リスト端末１００と携帯端末３００とにおいて受信され得る情報と代替可能な情報であればよい。例えば、リスト端末１００と携帯端末３００とが、定期的又は不定期的に複数回共に取得し得る、気温、気圧、ユーザの心拍数等のセンシング情報であってもよい。
この場合、リスト端末１００は、計時部と、受信部と、通信部と、リセット部とを備える。
計時部は、所定の時間を計時する。
受信部は、計時部によって所定の時間が経過する毎に、第１情報を受信する。
通信部は、他の情報処理装置と通信をして、第１情報と代替可能な情報である第２情報を受信する。
上述の実施形態では、代替可能な第１情報及び第２情報は、ＧＰＳ情報に基づく位置情報が採用されていた。
リセット部は、第１情報が受信される毎又は第２情報が受信される毎に、計時部をリセットする。
これにより、リスト端末１００の消費電力の低減を図ると共に、所定の情報を取得することが可能になる。即ち、リスト端末１００は、自機側で代替可能な情報を取得する頻度が減るため、そのために必要であった消費電力が低減され、その結果、電池残量の短時間での低下を防止したり、電池寿命の長寿命化を実現することができる。
【００４６】
ここで、上述の実施形態では、通信部２６に受信される、携帯端末３００側の代替可能な情報は、位置情報であり、着信情報に付加されて送信されてきたが、特に限定されない。即ち、位置情報が付加される情報は、着信情報である必要は無く、携帯端末３００からリスト端末１００側に送信され得る情報であれば足りる。
この場合、携帯端末３００において代替可能な情報が送信される所定条件は、携帯端末３００において、位置情報以外の別情報がリスト端末１００に送信され、かつ、位置情報が受信されたという条件である。携帯端末３００は、この条件が満たされると、別情報と位置情報とを含む送信情報を生成してリスト端末１００に送信する。
この場合、リスト端末１００は、分離部（上述の実施形態では情報分離部７３）をさらに備えることができる。分離部は、通信部に受信された送信情報から、位置情報と別情報とを分離する。そして、位置取得部は、計時部により所定の時間が計時される毎に自機の受信部に受信された位置情報を取得し、分離部により送信情報から位置情報が分離された場合は当該位置情報を取得する。リセット部は、分離部により送信情報から位置情報が分離される毎に、計時部をリセットする。
より一般的にいえば、通信部は、上述の第２情報以外の別情報と第２情報とを含む送信情報を受信し、情報処理装置は、通信部に受信された送信情報から、第２情報と別情報とを分離する分離部を備えるようにしてもよい。
これにより、リスト端末１００は、位置情報以外の別情報が他の情報処理装置（携帯端末３００）から無線でリスト端末１００に送信されてくる従来のタイミングと同タイミングで、他の情報処理装置で受信された位置情報を取得するとともに、計時時間をリセットすることができる。
したがって、リスト端末１００に送信されてくる頻度に応じて、適切な別情報を選択することで、自機側で代替可能な情報を取得する頻度を適切に減少させ、そのために必要であった消費電力も適切に低減させ、その結果、電池残量の短時間での低下を適切に防止したり、電池寿命の長寿命化を適切にすることができる。
例えば別情報として、上述の実施形態では、着信情報、即ち、携帯端末３００においてメールの受信又は電話の着信があった旨を通知する情報である。メール受信や、電話の着信の頻度は、リスト端末１００側で位置情報を取得する頻度を適切に減少させるのに好適である。
また位置取得部は、直近の自機の受信部に受信された情報と、通信部が受信した情報とを比較し、どちらの位置情報が最新の情報であるかを判断し、直近の自機の受信部に受信された情報のほうが最新であると判断した場合には、リセット部は計時時間をリセットしないようにしてもよい。
より一般的にいえば、通信部によって上述の第２情報が受信された際に、この受信した第２情報と、直近に受信された上述の第１情報とを比較してどちらの情報が最新の位置情報であるかを判断する判断部をさらに設けるようにして、上述のリセット部は、直近に受信された第１情報の方が最新であると判断部が判断した場合は、計時部をリセットしないようにしてもよい。
これにより、最新の情報が取得された場合のみ計時時間をリセットすることで、常に最新の情報を保持することができる。
【００４７】
上述の実施形態では、リスト端末１００側の位置情報等の取得の頻度を低減させ、結果として、リスト端末１００側の消費電力の低減を図り、リスト端末１００側の電池寿命の長寿命化等を実現する目的となっているが、目的は特にこれに限定されない。
例えば、携帯端末３００側の位置情報等の取得の頻度を低減させ、結果として、携帯端末３００側の消費電力の低減を図り、携帯端末３００側の電池残量の短時間での低下防止や電池寿命の長寿命化を実現する目的を採用することもできる。
この場合、携帯端末３００は、上述の図４のリスト端末１００側と同様の機能的構成を有するように構成され、リスト端末１００は、上述の図４の携帯端末３００側と同様の機能的構成を有するように構成されればよい。
【００４８】
さらに、リスト端末１００と携帯端末３００の電池残量に応じて、位置情報等を送信する側を切り替えてもよい。
この場合、リスト端末１００及び携帯端末３００において、それぞれ、各々の端末の電池の残量を測定する電池残量測定部（図示せず）を備えることができる。この場合、リスト端末１００の制御回路１１は、リスト端末１００の電池残量測定部（図示せず）により測定されたリスト端末１００の電池残量と、携帯端末３００の電池残量測定部（図示せず）により測定された携帯端末３００の電池残量との比較結果に応じて、何れの端末により受信される情報に基づいて、位置情報等を送信する側を切り替えてもよい。
これにより、例えば、電池の残量が少ない端末において位置情報等の取得の頻度を効果的に低減させることができ、結果として、当該端末の電池の残量の低下を抑制することができる。
【００４９】
また、上述の実施形態では、リスト端末１００は、ＵＡＲＴ１４及びＵＡＲＴ２５により通信を行っているがこれに限られるものではなく、他の構成により通信を行うこともできる。
【００５０】
また、上述の実施形態では、リスト端末１００は、複数の機能を備えた複数個の入力手段１５により制御回路１１に対して所定の情報の入力を行っているがこれに限られるものではなく、例えば、その他の手段により入力を行うこともできる。
【００５１】
また、上述の実施形態では、リスト端末１００は、ＬＥＤ２０、ピエゾ２１、振動モータ２２等により携帯端末３００からのメールや電話の着信を発光等により報知しているがこれに限られるものではない。例えば、リスト端末１００は、その他の手段により携帯端末３００からのメールや電話の着信を報知することができる。
【００５２】
また、上述の実施形態では、本発明が適用される情報処理装置は、腕時計型のリスト端末を例として説明したが、特にこれに限定されない。
例えば、本発明は、２つ以上の端末間において代替可能な情報を送受信する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
【００５３】
上述した一連の処理は、ハードウェアにより実行させることもできるし、ソフトウェアにより実行させることもできる。
換言すると、図４の機能的構成は例示に過ぎず、特に限定されない。即ち、上述した一連の処理を全体として実行できる機能がリスト端末１００に備えられていれば足り、この機能を実現するためにどのような機能ブロックを用いるのかは特に図４の例に限定されない。
また、１つの機能ブロックは、ハードウェア単体で構成してもよいし、ソフトウェア単体で構成してもよいし、それらの組み合わせで構成してもよい。
【００５４】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００５５】
このようなプログラムを含む記録媒体は、ユーザにプログラムを提供するために装置本体とは別に配布される図示せぬリムーバブルメディアにより構成されるだけでなく、装置本体に予め組み込まれた状態でユーザに提供される記録媒体等で構成される。リムーバブルメディアは、例えば、フラッシュメモリや超小型のハードディスクを内蔵したメモリーカード、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２のＲＯＭ１８（図３のＲＯＭ４２）や、図示せぬ記憶部に含まれるハードディスク等で構成される。
【００５６】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段等より構成される全体的な装置を意味するものとする。
【００５７】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれると共に、特許請求の範囲に記載された発明とその均等の範囲に含まれる。
【００５８】
以下に、本願の出願当初の特許請求の範囲に記載された発明を付記する。
［付記１］
所定の時間を計時する計時手段と、
前記計時手段によって所定の時間が経過する毎に、第１情報を受信する受信手段と、
他の情報処理装置と通信をして、前記第１情報と代替可能な情報である第２情報を受信する通信手段と、
前記受信手段により前記第１情報が受信される毎、又は前記通信手段により前記第２情報が受信される毎に、前記計時手段をリセットするリセット手段と、
を備える情報処理装置。
［付記２］
前記通信手段によって第２情報が受信された際に、この受信した第２情報と、前記受信手段によって直近に受信された第１情報とを比較してどちらの情報が最新の位置情報であるかを判断する判断手段を更に備え、
前記リセット手段は、前記受信手段によって直近に受信された第１情報の方が最新であると前記判断手段が判断した場合は、前記計時手段をリセットしない、
ことを特徴とする付記１に記載の情報処理装置。
［付記３］
前記通信手段は、前記第２情報以外の別情報と前記第２情報とを含む送信情報を受信し、
前記情報処理装置は、前記通信手段に受信された前記送信情報から、前記第２情報と前記別情報とを分離する分離手段をさらに備える
付記１又は２に記載の情報処理装置。
［付記４］
前記別情報は、前記他の情報処理装置においてメール又は電話の着信があったことを、前記情報処理装置に示す情報である、
付記３に記載の情報処理装置。
［付記５］
前記第１情報及び第２情報は、位置情報であり、
前記第１情報及び第２情報のうち、最新の位置情報を当該情報処理装置の現在地とみなす、
ことを特徴とする付記１又は２記載の情報処理装置。
［付記６］
所定の時間を計時する計時手段を備えた情報処理装置が実行する情報処理方法であって、
所定の時間が経過する毎に、第１情報を受信する受信ステップ、
他の情報処理装置と通信をして、前記第１情報と代替可能な情報である第２情報を受信する通信ステップと、
前記受信ステップにより前記第１情報が受信される毎、又は前記通信ステップにより前記第２情報が受信される毎に、前記計時手段をリセットするリセットステップと
を含む情報処理方法。
［付記７］
所定の時間を計時する計時手段を備える装置を制御するコンピュータを、
前記計時手段によって所定の時間が経過する毎に、第１情報を受信する受信手段、
他の情報処理装置と通信をすることにより前記第１情報と代替可能な情報である第２情報を受信する通信手段
前記受信手段により前記第１情報が受信される毎、又は前記通信手段により前記第２情報が受信される毎に、前記計時手段をリセットするリセット手段
として機能させるプログラム。
［付記８］
他の情報処理装置で受信され得る情報と代替可能な第１情報を、自機において受信する受信手段と、
前記他の情報処理装置に対する送信対象となる第２情報を取得する取得手段と、
前記取得手段において前記第２情報が取得され、かつ、前記受信手段において前記第１情報が受信されていることを条件として、前記第１情報と前記第２情報とを含む送信情報を送信する通信手段と、
を備える情報処理装置。
［付記９］
前記第１情報は、位置情報であり、
前記第２情報は、メールの又は電話の着信があったことを、前記他の情報処理装置に通知する情報である、
付記８に記載の情報処理装置。
［付記１０］
前記情報処理装置は、
所定の時間を計時する計時手段を更に備え、
前記受信手段は、
前記計時手段によって所定の時間が経過する毎に、前記第１情報を受信する、
付記８又は９に記載の情報処理装置。
［付記１１］
他の情報処理装置と通信をする情報処理装置が実行する情報処理方法であって、
他の情報処理装置で受信され得る情報と代替可能な第１情報を、自機において受信する受信ステップと、
前記情報処理装置に対する送信対象となる第２情報を取得する取得ステップと、
前記取得ステップの処理により前記第２情報が取得され、かつ、前記受信ステップの処理により前記第１情報が受信されたことを条件として、前記第１情報と前記第２情報とを含む送信情報を送信する通信ステップと、
を含む情報処理方法。
［付記１２］
情報処理装置を制御するコンピュータを、
他の情報処理装置で受信され得る情報と代替可能な第１情報を、自機において受信する受信手段、
前記情報処理装置に対する送信対象となる第２情報を取得する取得手段、
前記取得手段において前記第２情報が取得され、かつ、前記受信手段において前記第１情報が受信されたことを条件として、前記第１情報と前記第２情報とを含む送信情報を送信する制御を実行する通信制御手段、
として機能させるプログラム。
［付記１３］
第１の情報処理装置と第２の情報処理装置からなる情報処理システムであって、
前記第１情報処理装置は、
第１情報を受信する受信手段と、
前記情報処理装置に対する送信対象となる第２情報を取得する取得手段と、
前記取得手段において前記第２情報が取得され、かつ、前記受信手段において前記第１情報が受信されたことを条件として、前記第１情報と前記第２情報とを含む送信情報を送信する通信手段と、
を備え、
前記第２情報処理装置は、
所定の時間を計時する計時手段と、
前記計時手段によって所定の時間が経過する毎に、第１情報を受信する受信手段と、
他の情報処理装置と通信をして、前記第１情報と代替可能な情報である第２情報を受信する通信手段と、
前記受信手段により前記第１情報が受信される毎、又は前記通信手段により前記第２情報が受信される毎に、前記計時手段をリセットするリセット手段と、
を備えた情報処理システム。
【符号の説明】
【００５９】
１・・・携帯電話システム、１１・・・制御回路、１２・・・アンテナ、１３・・・モジュール、１４・・・ＵＡＲＴ、１５・・・入力手段、１７・・・時計回路、１８・・・ＲＯＭ、２０・・・ＬＥＤ、２１・・・ピエゾ、２２・・・振動モータ、２３・・・ＧＰＳアンテナ、２４・・・ＧＰＳモジュール、２５・・・ＵＡＲＴ、
２６・・・通信部、２７・・・ＧＰＳ部、３１・・・制御回路、３２・・・アンテナ、３３・・・モジュール、３４・・・ＵＡＲＴ、３５・・・キー操作部、３６・・・アンテナ、３７・・・無線通信部、３８・・・信号処理部、３９・・・マイク、４０・・・スピーカ、４２・・・ＲＯＭ、４５・・・ピエゾ、４６・・・振動モータ、４７・・・電池、４８・・・ＧＰＳアンテナ、４９・・・ＧＰＳモジュール、５０・・・ＵＡＲＴ、５１・・・ＧＰＳ部、５２・・・通信部、５３・・・通信部、７１・・・計時部、７２・・・通信制御部、７３・・・情報分離部、７４・・・リセット部、７５・・・スイッチ、７６・・・位置取得部、７７・・・着信報知制御部、８１・・・通信制御部、８２・・・着信部、８３・・・位置取得部、８４・・・送信情報生成部、１００・・・リスト端末、３００・・・携帯端末
【図１】
0006003828.tif 000002
【図２】
0006003828.tif 000003
【図３】
0006003828.tif 000004
【図４】
0006003828.tif 000005
【図５】
0006003828.tif 000006